(57)【要約】【課題】薄い複合スピーカ装置を得ることができないという課題があった。【解決手段】コーン型振動板を備えるスピーカ１と、スピーカ１の振動板開口部に備えられた平面スピーカ２と、スピーカ１と平面スピーカ２とを連結するジョイント部３を備え、ジョイント部３がコーン型振動板を備えるスピーカ１の振動板開口部の端に設けられることにより、薄型の複合スピーカ装置１０を実現する。【選択図】図１
2008113365.tif 000002
【特許請求の範囲】
【請求項１】
コーン型振動板を備えるスピーカと、
平面スピーカと、
上記コーン型振動板を備えるスピーカと上記平面スピーカとを連結するジョイント部とを備え、
上記ジョイント部が上記コーン型振動板を備えるスピーカの振動板開口部の端に設けられることを特徴とする複合スピーカ装置。
【請求項２】
コーン型振動板を備えるスピーカと、
平面スピーカと、
上記コーン型振動板を備えるスピーカと上記平面スピーカとを同一筺体内に収納するとともに、上記コーン型振動板を備えるスピーカと上記平面スピーカとを連結するジョイント部を有する音響箱とを備え、
上記ジョイント部が上記コーン型振動板を備えるスピーカの振動板開口部の端に設けられることを特徴とする複合スピーカ装置。
【請求項３】
上記平面スピーカを複数備えることを特徴とする請求項１または請求項２記載の複合スピーカ装置。
【発明の詳細な説明】
【技術分野】
【０００１】
この発明は、例えば複数のスピーカからなる複合スピーカ装置に関するものである。
【背景技術】
【０００２】
従来の技術として、一つのコーン型振動板を備えるスピーカで音声帯域をカバーすることが困難な場合は、非特許文献１に示されるように、低音用と高音用の２つのコーン型振動板を備えるスピーカを同軸上に配したコアキシャル型複合スピーカを用いる方法がある。
【０００３】
【非特許文献１】山本武夫著「スピーカシステム（上）」ラジオ技術社、昭和５２年７月１５日、ｐ．１３４〜ｐ．１４０
【発明の開示】
【発明が解決しようとする課題】
【０００４】
従来の複合スピーカ装置は上記のように構成されており、同軸上に２つのコーン型振動板を備えるスピーカを配置する必要があることから、スピーカ本体の奥行きが厚くなるという課題があった。
【０００５】
この発明は上記のような課題を解決するためになされたもので、薄い複合スピーカ装置を得ることを目的とする。
【課題を解決するための手段】
【０００６】
この発明に係る複合スピーカ装置は、コーン型振動板を備えるスピーカと、平面スピーカと、コーン型振動板を備えるスピーカと平面スピーカとを連結するジョイント部を備え、ジョイント部がコーン型振動板を備えるスピーカの振動板開口部の端に設けられることを特徴とするものである。
【発明の効果】
【０００７】
この発明の複合スピーカ装置によれば、複合スピーカ装置を薄くすることができるという効果を奏する。
【発明を実施するための最良の形態】
【０００８】
以下、この発明の実施の形態を説明する。
実施の形態１．
図１はこの発明の実施の形態１による複合スピーカ装置の構成図である。
図１に示すように、複合スピーカ装置１０は、コーン型振動板を備えるスピーカ１と、平面スピーカ２と、スピーカ１と平面スピーカ２とを連結するジョイント部３を備え、ジョイント部３がコーン型振動板を備えるスピーカ１の振動板開口部の端に設けられるものである。
【０００９】
まず、スピーカ１は、コーン型振動板を備えるスピーカであり、一般に低域用の音源として用いられる。また一般的にスピーカ１のようなコーン型振動板を備えるスピーカは、ポール，マグネット，プレートから構成される磁気回路と、磁気回路の磁気空隙にコイル部分が配置されるボイスコイルと、ボイスコイルのボビンに結合するコーン型振動板とを備え、コーン型振動板が前後に振動することにより音波を放射する。
【００１０】
平面スピーカ２は、平面型振動板を備えるスピーカであり、一般的に高域用の音源として用いられる。
【００１１】
図２はこの発明の実施の形態１に用いられる平面スピーカの構成図である。
図２に示す平面スピーカ２は、第１のシート磁石２２ａおよび第２のシート磁石２２ｂと、その第１のシート磁石２２ａおよび第２のシート磁石２２ｂに対向するように配置したコイルを全面に形成されたフレキシブル基板２１と、これら第１のシート磁石２２ａおよび第２のシート磁石２２ｂとフレキシブル基板２１との間に配置された第１のバッファシート２３ａおよび第２のバッファシート２３ｂと、これらを覆い支持するケース上面２４ａおよびケース下面２４ｂを備える。また平面スピーカ２はこのような構成で５ｍｍ以下にすることができる。
【００１２】
ここで、第１のシート磁石２２ａおよび第２のシート磁石２２ｂは、フレキシブル基板２１との対向面のほぼ全面に焼結フェライト磁石からなる帯状の多極着磁パターンＮ，Ｓが片面に形成されているものである。また第１のシート磁石２２ａは音放射穴を有している。
【００１３】
フレキシブル基板２１は、平面型振動板であり、図２に示すように第１のシート磁石２２ａおよび第２のシート磁石２２ｂに対向するように配置し、全面に蛇行形成の導体パターンからなるコイルが形成されている。
【００１４】
第１のバッファシート２３ａおよび第２のバッファシート２３ｂは、通気性および音響エネルギーの透過性を有する不織布などから形成され、図２に示すように第１のバッファシート２３ａおよび第２のバッファシート２３ｂは第１のシート磁石２２ａおよび第２のシート磁石２２ｂとフレキシブル基板２１との間に配置され、そのフレキシブル基板２１が振動時に第１のシート磁石２２ａおよび第２のシート磁石２２ｂとの衝突を防止するとともに、サスペンションとしての役割を担うものである。
【００１５】
ケース上面２４ａは第１のシート磁石２２ａの音放射穴に連通させる音放射穴を有している。またケース上面２４ａおよびケース下面２４ｂは、例えば、鉄板，ニッケル・鉄合金（パーマロイ）板などが適用される。
【００１６】
図２に示す平面スピーカ２の動作について説明する。電流がフレキシブル基板２１の表面に形成されている蛇行形成の導体パターンからなるコイルに流れると、コイルと第１のシート磁石２２ａおよび第２のシート磁石２２ｂの帯状の多極着磁パターンとが電磁的に結合するため、振動がフレミングの法則によりフレキシブル基板２１に発生する。この振動がケース上面２４ａおよび第１のシート磁石２２ａの音放射穴を通り、音が音放射穴の方向から外部に出力される。
【００１７】
ジョイント部３は、図１に示すようにコーン型振動板を備えるスピーカ１の振動板開口部にあり、コーン型振動板を備えるスピーカ１と平面スピーカ２とを連結するものである。ジョイント部３はフレーム１０と一体形成されていても、フレーム１０と独立して形成されていても良い。ジョイント部３は樹脂または金属系の素材でできており、スピーカ１及び平面スピーカ２を接着剤で接続する。
【００１８】
平面スピーカに図２に示すような構造の平面スピーカ２を使用することで、薄型の複合スピーカ装置１０を実現することができる。平面スピーカ２の接続位置はスピーカ１の開口部内のスピーカ１の音の妨害になりにくい場所であり、具体的には、スピーカ１の開口部の端に設ける。
【００１９】
また現在プラズマディスプレーや液晶ディスプレー等が主流となり、ディスプレーの薄型化が図られるとともに、音源であるスピーカにも高音質を保ったままで薄型化のニーズが高まっている。このスピーカ２に図２に示すような構造の平面スピーカを使用することにより、従来の同軸上に配したコアキシャル型複合スピーカに比べて複合スピーカ内の空間を開放することができるので、高音質を保ったまま薄型の複合スピーカ装置１０を実現することができる。
【００２０】
また液晶テレビやプラズマテレビにスピーカ装置を組み込む箇所が音響箱の役割を備えた構造になり、その箇所に複合スピーカ装置を設置する。
【００２１】
図３は、この発明の実施の形態１による周波数特性を示す図である。
図３において、横軸は周波数、縦軸は音波の音圧レベルを示す。そして、スピーカ１の場合は周波数特性１ｆで示され、平面スピーカ２の場合は周波数特性２ｆで示され、スピーカ１と平面スピーカ２とを組み合わせた場合は周波数特性１０ｆで示される。
【００２２】
周波数特性１０ｆで示されるように、スピーカ１と平面スピーカ２とを組み合わせることにより、互いに周波数特性が補完され、低域から高域までを再生音域とすることができる。
【００２３】
以上説明した実施の形態１によれば、コーン型振動板を備えるスピーカ１と、平面スピーカ２と、スピーカ１と平面スピーカ２とを連結するジョイント部３とを備え、ジョイント部がコーン型振動板を備えるスピーカ１の振動板開口部の端に設けられることにより、薄型の複合スピーカ装置１０を実現することができるという効果を奏する。
【００２４】
また、実施の形態１によれば、この平面スピーカ２に図２に示すような構造の平面スピーカを使用し、ジョイント部がコーン型振動板を備えるスピーカ１の振動板開口部の端に設けられることにより、高音質を保ったままプラズマディスプレーおよび液晶ディスプレーと同様な薄型の複合スピーカ装置１０を実現することができるという効果を奏する。
【００２５】
また、実施の形態１によれば、スピーカ１と平面スピーカ２とを組み合わせることにより、互いに周波数特性が補完され、図３の１０ｆに示されるような周波数特性となり、低域から高域までを再生音域とする複合スピーカ装置１０を実現できるという効果を奏する。
【００２６】
また、実施の形態１によれば、平面スピーカ２を５ｍｍ以下にすることにより、薄型の複合スピーカ装置１０を実現することができるという効果を奏する。
【００２７】
また、実施の形態１によれば、液晶テレビやプラズマテレビにスピーカ装置を組み込む箇所が音響箱の役割を備えた構造になり、その箇所に複合スピーカ装置を設置することにより、実際の音響箱を用いることに比べて、コスト削減することができるという効果を奏する。
【００２８】
実施の形態２．
図４はこの発明の実施の形態２による複合スピーカ装置の構成図である。
図４に示すように、複合スピーカ装置１０は、実施の形態１で示す複合スピーカ装置１０とほぼ同様であるが、実施の形態１と異なり平面スピーカ２を複数備えることを特徴とする。
【００２９】
複数の平面スピーカ２は、同じ周波数帯域のスピーカでも異なる周波数帯域のスピーカでも良い。複数の平面スピーカ２の周波数帯域が同じ場合は、平面スピーカ２の周波数帯域の音圧が平面スピーカ２を１つ用いた場合に比べて向上する。また、複数の平面スピーカ２の周波数帯域が異なる場合は、スピーカ１で低域を、複数の平面スピーカ２を用いて高域と中域をカバーするような複合スピーカ装置１０を実現できる。また実施の形態２では、２つの平面スピーカ２が記載されているが、平面スピーカ２は２つ以上でも良い。また、平面スピーカ２の配置する位置も選ぶことが可能である。具体的な位置としては、スピーカ１の開口部内のスピーカ１の音の妨害になりにくい場所であり、スピーカ１の開口中央部より開口部の端に設ける。
【００３０】
以上説明した実施の形態２によれば、複数の平面スピーカ２の周波数帯域が同じことにより、平面スピーカ２の周波数帯域の音圧が平面スピーカ２を１つ用いた場合に比べて向上するという効果を奏する。
【００３１】
また実施の形態２によれば、複数の平面スピーカ２周波数帯域が異なることにより、スピーカ１で低域を複数の平面スピーカ２を用いて高域と中域をカバーするような複合スピーカ装置１０を実現できるという効果を奏する。
【００３２】
また、実施の形態２によれば、複数の平面スピーカ２の周波数帯域を自由に選択できることにより、周波数帯域の自由度が高い複合スピーカ装置１０を実現できるという効果を奏する。
【００３３】
また、実施の形態２によれば、複数の平面スピーカ２の位置を選択できることにより、スピーカを対称配置，左右専用の非対称配置とすることができるので、スピーカの配置の自由度が高い複合スピーカ装置１０を実現できるという効果を奏する。
【００３４】
実施の形態３．
図５はこの発明の実施の形態３による複合スピーカ装置の構成図であり、複合スピーカ装置１０を音響箱１１に入れた実施の形態である。
【００３５】
図５に示すように、複合スピーカ装置１０は、コーン型振動板を備えるスピーカ１と、平面スピーカ２と、コーン型振動板を備えるスピーカ１と平面スピーカ２とを同一筺体内に収納するとともに、コーン型振動板を備えるスピーカ１と平面スピーカ２とを連結するジョイント部を有する音響箱１１とを備え、ジョイント部がコーン型振動板を備えるスピーカ１の振動板開口部の端に設けられる。この音響箱１１はジョイント部を有しているので、別に新しくジョイント部を用意する必要がない。
【００３６】
また、実施の形態２のように複数の平面スピーカ２を用いることも可能であり、大型液晶テレビ等は音響箱１１に収納した複合スピーカ装置１０をテレビの内部に組み込むことが可能である。
【００３７】
以上説明した実施の形態３によれば、コーン型振動板を備えるスピーカ１と、平面スピーカ２と、コーン型振動板を備えるスピーカ１と平面スピーカ２とを同一筺体内に収納するとともに、コーン型振動板を備えるスピーカ１と平面スピーカ２とを連結するジョイント部を有する音響箱１１とを備え、ジョイント部がコーン型振動板を備えるスピーカ１の振動板開口部の端に設けられることにより、ジョイント部のコストが削減されるという効果を奏する。
【００３８】
また実施の形態３によれば、コーン型振動板を備えるスピーカ１と、平面スピーカ２と、コーン型振動板を備えるスピーカ１と平面スピーカ２とを同一筺体内に収納するとともに、コーン型振動板を備えるスピーカ１と平面スピーカ２とを連結するジョイント部を有する音響箱１１とを備え、ジョイント部がコーン型振動板を備えるスピーカ１の振動板開口部の端に設けられることにより、スピーカの前面と後面とから発生する逆位相の音波による相殺を防止することができるため、より安定した周波数帯域を確保できるという効果を奏する。
【００３９】
また実施の形態３によれば、音響箱に収納したスピーカ装置をテレビの内部に組み込むことにより、より安定した周波数帯域を確保できるという効果を奏する。
【図面の簡単な説明】
【００４０】
【図１】この発明の実施の形態１による複合スピーカ装置の構成図である。
【図２】この発明の実施の形態１に用いられる平面スピーカ２の構成図である。
【図３】この発明の実施の形態１による周波数特性を示す図である。
【図４】この発明の実施の形態２による複合スピーカ装置の構成図である。
【図５】この発明の実施の形態３による複合スピーカ装置の構成図である。
【符号の説明】
【００４１】
１  コーン型振動板を備えるスピーカ、１ｆ  スピーカ１の周波数特性、２  平面スピーカ、２ｆ  平面スピーカ２の周波数特性、３  ジョイント部、１０  複合スピーカ装置、１０ｆ  スピーカ１と平面スピーカ２とを組み合わせた周波数特性、１１  音響箱、２１  フレキシブル基板、２２ａ  第１のシート磁石、２２ｂ  第２のシート磁石、２３ａ  第１のバッファシート、２３ｂ  第２のバッファシート、２４ａ  ケース上面、２４ｂ  ケース下面。
【図１】
2008113365.tif 000003
【図２】
2008113365.tif 000004
【図３】
2008113365.tif 000005
【図４】
2008113365.tif 000006
【図５】
2008113365.tif 000007